(57)【要約】【課題】スイッチ部から収納部内にガスなどが侵入することがなく長期的な信頼性を得ることができる密閉構造の火災感知器を提供する。【解決手段】表カバー２と、所定の機能を選択するスイッチ部１８が電気的に接続されたプリント基板８と、表カバー２の裏側からプリント基板８の収納部４をシール部材５を介して密閉する裏カバー３とを備えた火災感知器であって、スイッチ部１８は、複数の電極ピン１９ａ〜１９ｃを有しこの電気的接続状態によって所定の機能が切換選択されるスイッチ本体２１と、電極ピン１９ａ〜１９ｃ間に嵌合して所定の電気的接続状態を与えるコネクタ２２とによって構成され、スイッチ本体２１の電極ピン１９ａ〜１９ｃを裏カバー３から収納部４外に露出させ、電極ピン１９ａ〜１９ｃの基部側と裏カバー３との間を樹脂封止した。【選択図】        図１
2006119832.tif 000002
【特許請求の範囲】
【請求項１】
表カバーと、所定の機能を選択するスイッチ部が電気的に接続されたプリント基板と、前記表カバーの裏側から前記プリント基板の収納部をシール部材を介して密閉する裏カバーとを備えた密閉構造の火災感知器において、
前記スイッチ部は、複数の電極ピンを有し該複数の電極ピン同士の電気的接続状態によって所定の機能が切換選択されるスイッチ本体と、前記複数の電極ピン間に嵌合して所定の電気的接続状態を与えるコネクタとによって構成され、前記スイッチ本体の電極ピンを前記裏カバーから収納部外に露出させ、前記電極ピンの基部側と裏カバーとの間を樹脂封止したことを特徴とする火災感知器。
【請求項２】
前記裏カバーに凹部を形成してスイッチ本体の電極ピンを該凹部より収納部外に露出させ、前記裏カバーの凹部底面とプリント基板との間に樹脂を介装して前記電極ピンの基部側と裏カバーとの間を樹脂封止したことを特徴とする請求項１記載の火災感知器。
【発明の詳細な説明】
【技術分野】
【０００１】
本発明は火災感知器に係り、より詳しくは、防水や防ガス機能を充足させる密閉構造を有し、外部から所定の機能を切換選択することができる火災感知器に関するものである。
【背景技術】
【０００２】
従来の火災感知器においては、所定の機能を切換選択するスイッチ部の操作つまみが火災感知器の表面に露出しており、この操作つまみを操作することによって所定の機能を切換選択していた（例えば、特許文献１参照）。
【０００３】
【特許文献１】特開２００３−３０７６１号公報（第２〜３頁、図２）
【発明の開示】
【発明が解決しようとする課題】
【０００４】
特許文献１のような火災感知器においては、防水や防ガス機能を充足させる場合、プリント基板の収納部内全体に樹脂を充填して感知器全体を密閉構造とし、スイッチ部のみを外部に露出させるようにすることとなるが、こうすると収納部全体を樹脂で充填することになるため、作業性、保守性に問題があった。
このため、収納部内全体を樹脂充填せずに収納部を形成する表カバーと裏カバーとの接合部分等を接着剤などのシール部材を用いて密閉して、スイッチ部（スイッチ部材の操作部）のみを外部に露出させる場合もあるが、スイッチ部材の内部構造によっては収納部内にガスなどが侵入することがあり、特に腐食ガスなどの環境下では長期的な信頼性という面において問題がある。
【０００５】
本発明は、上記のような課題を解決するためになされたもので、プリント基板の収納部内をシール部材などによって密閉してスイッチ部のみを外部に露出させる場合においても、スイッチ部から収納部内にガスなどが侵入することがなく、腐食ガスなどの環境下にあっても長期的な信頼性を得ることができる火災感知器を提供することを目的とする。
【課題を解決するための手段】
【０００６】
本発明に係る火災感知器は、表カバーと、所定の機能を選択するスイッチ部が電気的に接続されたプリント基板と、前記表カバーの裏側から前記プリント基板の収納部をシール部材を介して密閉する裏カバーとを備えた密閉構造の火災感知器において、前記スイッチ部は、複数の電極ピンを有し該複数の電極ピン同士の電気的接続状態によって所定の機能が切換選択されるスイッチ本体と、前記複数の電極ピン間に嵌合して所定の電気的接続状態を与えるコネクタとによって構成され、前記スイッチ本体の電極ピンを前記裏カバーから収納部外に露出させ、前記電極ピンの基部側と裏カバーとの間を樹脂封止したものである。
【０００７】
また、前記裏カバーに凹部を形成してスイッチ本体の電極ピンを該凹部より収納部外に露出させ、前記裏カバーの凹部底面とプリント基板との間に樹脂を介装して前記電極ピンの基部側と裏カバーとの間を樹脂封止したものである。
【発明の効果】
【０００８】
本発明に係る火災感知器は、シール部材を用いて密閉構造にすると共に外部から所定の機能を切換選択することができるようにしたので、作業性、保守性に優れる。また、スイッチ部は、スイッチ本体の電極ピンを収納部外に露出させ、電極ピンの基部側と裏カバーとの間を樹脂封止した状態にしてプリント基板に取り付けられているので、スイッチ部の構造を介して収納部内にガスなどが侵入することもなく、長期的な信頼性に優れる。このため、火災感知器を、例えば船内のように防水が要求される室内に取り付けることもできる。また、凹部を形成することによって、樹脂の充填量を低減させることができる。
【発明を実施するための最良の形態】
【０００９】
図１は本発明にかかる火災感知器の一実施の形態を示す縦断面図、図２は図１の下面図、図３は図１の上面図、図４は図１のＡ矢視図である。図において、火災感知器の一例としての炎感知器は、外殻がほぼ鍋状の表カバー２と、表カバー２の内面側から立設した隔壁２ａ上を覆う裏カバー３とからなる本体ケース１を備え、裏カバー３は表カバー２の裏側から内部の収納部４をシール部材５（一例として接着剤）を介して樹脂接着することによって密閉している。このとき、裏カバー３と表カバー２とは、裏カバー３の周縁に形成された凸部３ｄと隔壁２ａの端部に形成された段部２ｂとによって係合し、その係合部位等の接合部位をシール部材５により樹脂接着している。そして、本体ケース１は取付具７によって取り付けベース（図示せず）に結合されて、天井面等に取り付けられる。
【００１０】
本体ケース１の収納部４内にはプリント基板８が収納されており、このプリント基板８には、火災検出素子としての第１、第２のセンサ１１，１２が設けられている。第１のセンサ１１は、例えば、炎から放射されるＣＯ2 共鳴放射の波長帯である概ね４．４〜４．５μｍ付近の赤外線を受光し、第２のセンサ１２は、例えばＣＯ2 共鳴放射の波長帯近傍である概ね５．０μｍ付近の赤外線を受光して、それぞれセンサ出力を生じるものである。
【００１１】
表カバー２の中央部付近には窓部となる開口部１５が形成されており、この開口部１５を裏面から覆うように保護フィルターである例えばサファイアガラス１６が樹脂接着により固定されてサファイア窓を形成している。なお、開口部１５によって、第１、第２のセンサ１１，１２の視野角が決定される。
第１、第２のセンサ１１，１２はホルダ１７内に収容され、表カバー２の開口部１５と相対して位置するようにして、ホルダ１７を介してプリント基板８に搭載されている。
【００１２】
本体ケース１の収納部４内に収納されたプリント基板８には、所定の機能を選択するスイッチ部１８が、裏カバー３の収納部４側に突出するように形成された凹部３ａの底面３ｂに設けた底面孔部３ｃを介して電気的に接続されている。このスイッチ部１８は、図５に示すように、複数の電極ピン１９、例えば３本からなる第１、第２、第３の電極ピン１９ａ，１９ｂ，１９ｃ、及びこれら第１〜第３の電極ピン１９ａ〜１９ｃの基部に一体に取り付けられた樹脂材質のコネクタ載置部２０を有しており、第１〜第３の電極ピン１９ａ〜１９ｃ同士の電気的接続状態によって所定の機能が切換選択されるスイッチ本体２１と、３本の電極ピン１９ａ〜１９ｃのうちの２本の電極ピンに嵌合して所定の電気的接続状態を与える操作つまみである導電性のコネクタ（ジャンパ）２２とによって構成されている。なお、この火災感知器において、スイッチ部１８によって切換選択される所定の機能として、この火災感知器の感度の切換選択がなされるようになっている。
【００１３】
スイッチ部１８は、第１〜第３の電極ピン１９ａ〜１９ｃの基部側がプリント基板８のピン支持孔８ａに挿入、半田付けされてそれぞれプリント基板８に電気的に接続されており、そのコネクタ載置部２０が裏カバー３の凹部３ａの底面孔部３ｃに挿入されて凹部３ａ内に露出している。
【００１４】
そして、裏カバー３の凹部３ａの底面３ｂとプリント基板８との間には樹脂２３を挟み込んで充填してあり、第１〜第３の電極ピン１９ａ〜１９ｃの基部側と裏カバー３との間を樹脂封止して密閉してある。こうして、スイッチ本体２１の第１〜第３の電極ピン１９ａ〜１９ｃを裏カバー３の凹部３ａより収納部４外の火災感知器背面に露出させ、この露出した第１〜第３の電極ピン１９ａ〜１９ｃにコネクタ２２を嵌合できるようにしてある。
【００１５】
また、この第１〜第３の電極ピン１９ａ〜１９ｃは、その先端が凹部３ａ内から突出しない長さに設定されており、これにより、この火災感知器を天井面等に取り付けた状態で、電極ピン１９ａ〜１９ｃ同士が障害物等によって誤短絡されないようにしてある。また、裏カバー３の凹部３ａの底面３ｂとプリント基板６との間に位置するスイッチ本体２１の周囲を樹脂で介装して、電極ピン１９ａ〜１９ｃの基部側と裏カバー３との間を樹脂封止したので、底面孔部３ｃを介して収納部４内にガスなどが侵入することが防止されており、さらに第１〜第３の電極ピン１９ａ〜１９ｃとコネクタ載置部２０との間がゆるんだときに、凹部３ａ内に露出するコネクタ載置部２０の内部構造を介して収納部４内にガスなどが侵入することも防止されている。また、凹部３ａを形成することによって、樹脂２３の充填量を低減させている。
【００１６】
なお、第１〜第３の電極ピン１９ａ〜１９ｃをコネクタ載置部２０に貫通させてスイッチ本体２１を構成しているため、上記の密閉構造以外にコネクタ載置部２０の表面であって第１〜第３の電極ピン１９ａ〜１９ｃが貫通する部分２４（図６参照）に樹脂を用いて封止するようにしてもよい。これによって、第１〜第３の電極ピン１９ａ〜１９ｃとコネクタ載置部２０との隙間から、コネクタ載置部２０の内部構造を介して収納部４内にガスなどが侵入することをより防止することができる。
【００１７】
上記のように構成した本発明の作用について説明する。まず、スイッチ部１８を、火災感知器の本体ケース１に取り付ける場合について説明する。プリント基板８の裏面の第１〜第３の電極ピン１９ａ〜１９ｃの周囲に溶融状態の樹脂２３を盛り上げておき、表カバー２の裏側から裏カバー３を被せるときに、図６に示すように、プリント基板８に取付けられた第１〜第３の電極ピン１９ａ〜１９ｂのコネクタ載置部２０を裏カバー３の凹部３ｂの底面孔部３ｃに挿通し、プリント基板８と裏カバー３の凹部３ａの底面３ｂとの間に溶融状態にある樹脂２３を挟み込む。また、裏カバー２の凸部３ｄと隔壁２ａの段部２ｂとを係合し、この係合部位等の接合部位をシール部材５により樹脂接着して（図１参照）、裏カバー３を表カバー２に固定する。
【００１８】
これにより、裏カバー３の凹部３ａの底面３ｂとプリント基板８との間で樹脂２３が固化して、図１、図６に示すように、第１〜第３の電極ピン１９ａ〜１９ｃの基部側と裏カバー３との間が固化後の樹脂２３によって封止される。このとき、裏カバー３の凹部３ａの底面３ｂからスイッチ部１８のコネクタ載置部２０の一部が凹部３ａ内に突出して固定され、底部３ｂによって樹脂２３は十分に押され、第１〜第３の電極ピン１９ａ〜１９ｃの基部側を十分密閉することができる。
なお、第１〜第３の電極ピン１９ａ〜１９ｃのそれぞれをコネクター載置部２０に貫通させてスイッチ本体２１を構成しているため、上記の密閉構造以外にコネクタ載置部２０の表面であって第１〜第３の電極ピン１９ａ〜１９ｃが貫通する部分２４に樹脂を用いて封止してもよい。
【００１９】
次に、上記のようにして組み立てた火災感知器における炎検知について説明する。火災により炎が発生すると、その放射光がサファイアガラス１６を介して第１及び第２のセンサ１１，１２に到達する。すると、第１及び第２のセンサ１１，１２はそれぞれ前記した帯域の波長の赤外線のみに基づいたセンサ出力が生じる。そして、第１のセンサ１１のセンサ出力と第２のセンサ１２のセンサ出力との比率を演算する等の所定のアルゴリズムを用いて、炎の発生を感知することで、精度よく炎を検知する。
【００２０】
次に、上記の火災感知器において、上記第１、第２のセンサ１１，１２の感度調節（火災感知機の感度切換）を行う場合について説明する。図５に示すように、第１、第２の電極ピン１９ａ，１９ｂにコネクタ２２が嵌合しており、第１、第２のセンサ１１，１２が一定の感度状態にあるとき、この感度を変える場合には、コネクタ２２をつまんでこれを第１、第２の電極ピン１９ａ，１９ｂから抜き取り、抜き取ったコネクタ２２の孔部を、第２、第３の電極ピン１９ｂ，１９ｃに嵌合させる。こうして、第１〜第３の電極ピン１９ａ〜１９ｃ間の短絡、開放によって火災感知器の所定の機能（この場合は、感度）を切換選択して、第１、第２のセンサ１１，１２の感度調節を行い、火災感知器の感度切換作業を極めて容易に行うことができる。
なお、コネクタ２２の装着状態において、第１〜第３の電極ピン１９ａ〜１９ｃの先端が露出するように図示されているが（図５）、先端が覆われてもよく、これにより、何らかの当接物があっても、誤短絡されにくくなる。
【００２１】
本実施の形態によれば、火災感知器を防水や防ガス機能を充足させる密閉構造にすることができると共に、所定の機能を外部から切換選択することができる。また、表カバー２と裏カバー３との間はシール部材５で封止し、複数の電極ピン１９ａ〜１９ｃの基部側と裏カバー３との間は樹脂封止して収納部４内部を密閉構造としているため、収納部４内部を樹脂充填する従来の密閉構造の場合と比較して、作業性や保守性に優れる。さらに、スイッチ本体２１の基部側は樹脂封止された状態で収納部４内に設けられているので、従来のようにスイッチ内部構造を介して収納部４内部にガスなどが侵入することがなく、腐食ガスなどの環境下であっても長期的な信頼性に優れる。このため、火災感知器を、船内のように防水が要求される部屋内に取り付けるような場合にも、効果的である。
【００２２】
上記の説明では、火災感知器にはシール部材５として接着剤を用いたが、Ｏリングその他のシール部材を用いてもよい。
また、火災感知器としては炎感知器について説明したが、熱感知器等のその他の火災感知器に適用することもできる。
【図面の簡単な説明】
【００２３】
【図１】本発明に係る火災感知器の一実施の形態の縦断面図である。
【図２】図１の下面図である。
【図３】図１の上面図である。
【図４】図１のＡ矢視図である。
【図５】図１のスイッチ部近傍の斜視図である。
【図６】本発明のスイッチ部の組み立て状態を示す説明図である。
【符号の説明】
【００２４】
１  本体ケース、２  表カバー、３  裏カバー、３ａ  凹部、３ｂ  凹部の底面、４  収納部、５  シール部材、８  プリント基板、１８  スイッチ部、１９ａ〜１９ｃ  第１〜第３の電極ピン、２１  スイッチ本体、２２  コネクタ、２３  樹脂。
【図１】
2006119832.tif 000003
【図２】
2006119832.tif 000004
【図３】
2006119832.tif 000005
【図４】
2006119832.tif 000006
【図５】
2006119832.tif 000007
【図６】
2006119832.tif 000008